(57)【要約】【課題】  ロール状物を安定して強固に支持する。非使用時は嵩を低くできる。【解決手段】  下容器１と上容器１１の両開口部を合わせて内部にロール状物品３０を収納する。下容器１にロール状物品３０の軸３１の両端部を支持する第一の軸受け部２を設ける。軸受け部材２０を下容器１の内で垂直に起立させて上半部を下容器１の上開口から上方に突出させる。軸受け部材２０に軸３１の両端部を支持する第二の軸受け部２３を設ける。上容器１１の対向する側壁部２の下端縁部に第一の軸受け部３、第二の軸受け部２３により支持したロール状物品３０の軸３１の両端部を上から支持する第三の軸受け部１３を設ける。下容器１、上容器１１にそれぞれ軸受け部材２０の起立状態を上下部で保持する支持部４、１４を設ける。下容器１と上下反転した上容器１１とをネスティング積み自在とする。【選択図】        図１
2005313913.tif 000002
【特許請求の範囲】
【請求項１】
上方が開口した合成樹脂製の下容器と下方が開口した合成樹脂製の上容器の両開口部を合わせて重ねた状態で内部にロール状物品を収納するようにした運搬用容器であって、下容器の対向する側壁部の上端縁部にロール状物品の軸の両端部の下半部を支持する第一の軸受け部を設け、横向にすることで下容器内に収納自在な合成樹脂製の軸受け部材を下容器の上記第一の軸受け部を設けた側壁部の内側において垂直に起立させると共に該軸受け部材の上半部を下容器の上開口から上方に突出させ、軸受け部材の上半部に上端から下方に案内溝を設けて該案内溝の溝底部分に上記第一の軸受け部よりも内側においてロール状物品の軸の両端部の下半分を支持する第二の軸受け部を設け、上容器の対向する側壁部の下端縁部に上記第一の軸受け部、第二の軸受け部により宙吊り状に支持したロール状物品の軸の両端部の上半部を支持するための第三の軸受け部を設け、下容器、上容器にそれぞれ起立状態の軸受け部材の下部と上部とをそれぞれ支持して起立状態を保持するための支持部を設け、下容器と上下反転した上容器とをネスティング積み自在として成ることを特徴とする運搬用容器。
【請求項２】
各側壁部がいずれも上方に行く程外側となるように傾斜した合成樹脂製の下容器と、各側壁部がいずれも下方に行く程外側となるように傾斜した合成樹脂製の上容器とを同一形状、同一大きさのもので構成し、下容器と上下反転した上容器とをネスティング積み自在としてあることを特徴とする請求項１記載の運搬用容器。
【請求項３】
軸受け部材の下端部が下容器に対して起倒可能なように回動自在に軸支してあり、該軸支構造が軸部が縦長孔に対して上下移動自在で、横向き姿勢の軸受け部材を軸部を中心に回動して起立した状態において軸受け部材を下方にスライドさせることで支持部により軸受け部材の起立状態を保持し、起立保持状態において軸受け部材を上方にスライドさせることで支持部による軸受け部材の保持を解除して軸受け部材を横向き姿勢に回動自在可能として成ることを特徴とする請求項１又は請求項２記載の運搬用容器。
【発明の詳細な説明】
【技術分野】
【０００１】
本発明は、ロール状物品を収納して運搬するための運搬用容器に関するものである。
【背景技術】
【０００２】
従来からプラスチックフィルム、プラスチックシート、紙材等をロール状に巻いたロール状物品を収納して搬送するための運搬用容器、あるいはボックスパレット、あるいはロール状物品のコンテナとしては、例えば、特許文献１、特許文献２、特許文献３が知られている。
【０００３】
ところが、上記特許文献１に示された従来例にあっては、上面から下方に向けて切欠した溝の底面にロール状物品の軸を支持する軸受け面を形成した軸受けパネルを１対パレット上に対向させて平行に着脱自在に立て、該１対のパレットの軸受け面にロール状物品の軸を支持し、更に上記１対の軸受けパネル上に別の１対の軸受けパネルを着脱自在に立て、同様に該別の１対のパレットの軸受け面にロール状物品の軸を支持するというようにしてロール状物品を支持していた。ところが、この従来例にあっては、着脱自在に立設した１対のパレットの軸受け面にロール状物品の軸を支持するだけであるので、ロール状物品の支持が安定しないという問題があり、また、ロール状物品の軸は両端部の上側を支持していないのでロール状物品の軸が溝内で上下に振動する事態が生じるという問題があり、更に、軸受けパネルが立設してある面以外の面はオープンとなっているため、ロール状物品が露出して汚れたり、傷付いたりするという問題がある。
【０００４】
また、上記特許文献２に示された従来例にあっては、略直方体形状の容器本体を上下に分割した同一形状の２つの分割体で運搬用容器を構成し、分割体の対向する傾斜した側壁部の開口端部に軸受け用の溝を形成し、該２つの分割体よりなる運搬用容器内にロール状物品を収納すると共にロール状物品の軸を軸受け用の溝に嵌め込み支持するようにしたものが開示してある。ところが、この特許文献２に示された従来例においては、分割体の対向する傾斜した側壁部の開口縁部に設けた軸受け用の溝でのみロール状物品の軸を支持しており、ロール状物品の支持強度が弱いという問題があり、特に、合成樹脂製の分割体の軸受け用の溝を設けた側壁部は合成樹脂による成形上の制約から傾斜しており、垂直な場合に比べると支持強度が更に弱くなるという問題がある。しかも、上記従来例においては、２つの分割体は同一形状であるというだけで、使用しない時にいずれか一方をいずれか他方に対してネスティング積みできるような構造となっておらず、使用する時も使用しない時も同じ略直方体形状の容器本体としておく必要があり、使用しない時、つまり、ロール状物を入れずに搬送したり、あるいは保管している時に嵩張るという問題がある。
【０００５】
また、上記特許文献３に示された従来例にあっては、上方が開口した直方体形状のダンボール製の下箱の対向する側壁部の上端部に宙吊り状にロール状物品の軸の両端部の下半部を支持する第一の軸受け部を設け、ダンボール製の支持板を下容器の第一の軸受け部を設けた垂直な側壁部の内側に沿って起立させると共に該支持板の上半部を下容器の上開口から上方に突出させ、支持板の上半部に上端から下方に案内溝を設けて該案内溝の溝底部分に上記第一の軸受け部よりも内側においてロール状物品の軸の両端部の下半分を支持する第二の軸受け部を設け、上容器の対向する側壁部の下端縁部に上記第一の軸受け部、第二の軸受け部により支持したロール状物品の軸の両端部の上半部を支持するための第三の軸受け部を設け、上容器内に入った起立状態の支持板の上部を挿入するようにしたものである。
【０００６】
しかしながら、この従来例にあっては、支持板は垂直な側壁部の内面に沿わせているだけなので、安定して起立させることができず、支持板がぐらついたりするため、起立した支持板間にロール状物品を挿入しながら支持板の第二の軸受け部にロール状物品の軸を嵌め込んで支持させるという作業がし難く、しかも、挿入後においても支持板がぐらついたり、傾いたりするので、支持板の第二の軸受け部により安定してロール状物品の軸を支持できず、特に、支持板が傾くと、支持板の第二の軸受け部によりロール状物品を支持しない状態となってしまうという問題がある。しかも、上記従来例のものはダンボール製の使い捨てのものであって、繰り返し使用するものではなく、１回使用する廃棄されてしまうものであって、資源の有効利用という観点から好ましくないという問題がある。
【特許文献１】特公平１−２６９４２号公報
【特許文献２】特開２００２−２５５２７５号公報
【特許文献３】特開２００２−８００８７号公報
【発明の開示】
【発明が解決しようとする課題】
【０００７】
本発明は上記の従来の問題点に鑑みて発明したものであって、ロール状物品の収納作業が容易にできると共にロール状物を安定して強固に支持でき、しかも、使用しない時には嵩を低くコンパクトにして搬送や保管ができ、繰り返し使用が可能な運搬用容器を提供することを課題とするものである。
【課題を解決するための手段】
【０００８】
上記課題を解決するために本発明に係る運搬用容器は、上方が開口した合成樹脂製の下容器１と下方が開口した合成樹脂製の上容器１１の両開口部を合わせて重ねた状態で内部にロール状物品３０を収納するようにした運搬用容器Ａであって、下容器１の対向する側壁部２の上端縁部にロール状物品３０の軸３１の両端部の下半部を支持する第一の軸受け部３を設け、横向にすることで下容器１内に収納自在な合成樹脂製の軸受け部材２０を下容器１の上記第一の軸受け部３を設けた側壁部２の内側において垂直に起立させると共に該軸受け部材２０の上半部を下容器１の上開口から上方に突出させ、軸受け部材２０の上半部に上端から下方に案内溝２１を設けて該案内溝２１の溝底部分に上記第一の軸受け部３よりも内側においてロール状物品３０の軸３１の両端部の下半分を支持する第二の軸受け部２３を設け、上容器１１の対向する側壁部２の下端縁部に上記第一の軸受け部３、第二の軸受け部２３により宙吊り状に支持したロール状物品３０の軸の両端部の上半部を支持するための第三の軸受け部１３を設け、下容器１、上容器１１にそれぞれ起立状態の軸受け部材２０の下部と上部とをそれぞれ支持して起立状態を保持するための支持部４、１４を設け、下容器１と上下反転した上容器１１とをネスティング積み自在として成ることを特徴とするものである。
【０００９】
このような構成とすることで、ロール状物品３０の軸３１を下容器１の第一の軸受け部３と、軸受け部材２０に設けた第二の軸受け部２３で受けてロール状物品３０の荷重を安定して支持できるものであり、特に、軸受け部材２０が下容器１、上容器１１に対してそれぞれ支持部４、１４により支持されてぐらついたり、傾いたりすることなく、起立状態を保持しているので、支持が安定して確実にできるものであり、また、第三の軸受け部１３でロール状物品３０の軸３１の上半分を支持するので、軸３１が上下方向にがたついたりせず、この点でも安定した支持ができるものであり、また、軸受け部材２０は下容器１の支持部４に支持された状態で起立しているので、下容器１にロール状物品３０の下半分を入れると共に軸３１を軸受け部材２０の案内溝２１の上端から入れる作業を行う際、軸受け部材２０が傾いたり、ぐらついたりせず、上記作業が容易且つ確実に行えるものであって作業性が向上するものであり、また、下容器１、上容器１１、軸受け部材２０はいずれも合成樹脂製で繰り返し使用が可能であり、しかも、軸受け部材２０を下容器１内に横向きにして収納した状態で下容器１と上容器１１とをネスティング積みすることで、運搬用容器Ａを構成する３つの部材を一纏めにしてコンパクトにすることができ、運搬用容器Ａを使用しない状態での搬送や保管等において大きなスペースを取らないものである。
【００１０】
また、各側壁部２がいずれも上方に行く程外側となるように傾斜した合成樹脂製の下容器１と、各側壁部２がいずれも下方に行く程外側となるように傾斜した合成樹脂製の上容器１１とを同一形状、同一大きさのもので構成し、下容器１と上下反転した上容器１１とをネスティング積み自在としてあることが好ましい。
【００１１】
このような構成とすることで、合成樹脂製の上容器１１と下容器１とを共通化でき、共通の金型で上容器１１と下容器１とを成形できるので、コストが安くなる。
【００１２】
また、軸受け部材２０の下端部が下容器１に対して起倒可能なように回動自在に軸支してあり、該軸支構造が軸部２２が縦長孔９に対して上下移動自在で、横向き姿勢の軸受け部材２０を軸部２２を中心に回動して起立した状態において軸受け部材２０を下方にスライドさせることで支持部４により軸受け部材２０の起立状態を保持し、起立保持状態において軸受け部材２０を上方にスライドさせることで支持部４による軸受け部材２０の保持を解除して軸受け部材２０を横向き姿勢に回動自在可能とすることが好ましい。
【００１３】
このような構成とすることで、使用しない時には軸受け部材２０を起立させて上方に引き上げた状態で横向きに倒すことで下容器１の支持部４による軸受け部材２０の起立状態保持を解除し、この状態で軸受け部材２０を軸部２２を中心に横向きに倒すことで、軸受け部材２０を下容器１内に横向きにして収納でき、また、使用する時は、軸部２２を中心に軸受け部材２０を回動させて起立させ、起立姿勢のまま下方にスライドさせるだけで、軸受け部材２０が支持部４により支持されて起立姿勢を保持するものであり、簡単な構成で起立姿勢の保持、起立姿勢の保持を解除して下容器１内に収納するという作業が容易に行えるものである。
【発明の効果】
【００１４】
本発明は、下容器の第一の軸受け部と、軸受け部材に設けた第二の軸受け部でロール状物品からの荷重を支持でき、特に、軸受け部材が下容器、上容器に対してそれぞれ支持部により支持されてぐらついたり、傾いたりすることなく、起立状態を保持しているので、安定して確実且つ強固に支持できるものであり、また、第三の軸受け部でロール状物品の軸の上半分を支持するので、軸が上下方向にがたついたりせず、この点でも安定した支持ができるものであり、また、軸受け部材は下容器の支持部に支持された状態で起立しているので、下容器にロール状物品の下半分を入れると共に軸を軸受け部材の案内溝の上端から入れる作業を行う際、軸受け部材が傾いたり、ぐらついたりせず、上記作業が容易且つ確実に行え、作業性が向上するものであり、また、下容器、上容器、軸受け部材はいずれも合成樹脂製で繰り返し使用が可能であって資源の有効利用が図れ、しかも、軸受け部材を下容器内に横向きにして収納した状態で下容器と上容器とをネスティング積みすることができるので、運搬用容器を構成する３つの部材を一纏めにしてコンパクトにできて、運搬用容器を使用しない状態での搬送や保管等において大きなスペースを取らないので搬送、保管効率が良くなるものである。
【発明を実施するための最良の形態】
【００１５】
以下、本発明を添付図面に示す実施形態に基いて説明する。
【００１６】
本発明の運搬用容器Ａは内部にロール状物品３０を収納するためのものであり、合成樹脂製の下容器１と、合成樹脂製の上容器１１と、２個の合成樹脂製の軸受け部材２０とが一つのセットとなって構成してある。ここで、下容器１には合成樹脂製のパレット用脚部材４０を設ける場合と、設けない場合とがある。図１乃至図９にはパレット用脚部材４０を設ける例が示してあり、図１０乃至図１７にはパレット用脚部材４０を設ける例が示してある。
【００１７】
まず、図１乃至図９に示す実施形態に基いて説明する。合成樹脂製の下容器１は平面視正方形状又は長方形状をしており、各側壁部２がいずれも上方に行く程外側となるように傾斜していて上開口の周縁部にはフランジ部５が設けてあり、対向する１対の側壁部２（添付図面に示す実施形態では短辺側の側壁部２）の上端縁部（上端縁部にはフランジ部５を含んでいる）に半円状をした第一の軸受け部３が形成してある。図７（ａ）に示すように、この下容器１の底面部８の上記第一の軸受け部３を設けた上記１対の側壁部２側の端部付近に該側壁部２の下辺に沿って１乃至複数の突起４ａが上方に向けて突出してあり、該突起４ａと上記側壁部２の下部との間の隙間が支持部４となっている。上記第一の軸受け部３を設けた側壁部２の両側端部付近には下容器１内側に向けて支柱部６が突設してあり、同一側壁部２において両側端部付近に位置する両支柱部６の対向面の下端部に上下に長い縦長孔９が形成してある。また、上方に行く程外側となるように傾斜している側壁部２の外面の上部には該下容器１と、上下逆にした上容器１１とをネスティング積みする際に下段の上容器１１のフランジ部１５に載置される載置用突部７が突設してある。
【００１８】
合成樹脂製の軸受け部材２０は図９に示すようなもので、下端部の両側に先端が自由端となった弾性片２８を設け、弾性片２８の下端の外側面に軸部２２を突設してある。軸受け部材２０は内面が平坦な板部２４の外面側に縦、横等に多数のリブ２５を突設して構成してあり、軸受け部材２０を垂直に起立させた状態で、平坦な板部２４の内面は垂直面となり、多数のリブ２５を突設することで構成される外面（リブ２５の突出面）は上下方向の中間が垂直な板部２４から最も外側に突出し且つ中間よりも上方にいく程突出量が次第に小さくなる共に中間より下方に行く程突出量が次第に小さくなるように設定してある。つまり、多数のリブの突出面により構成される軸受け部材２０の外面側は上部及び下部ともそれぞれ傾斜した傾斜部２６ａ、２６ｂとなっており、その上下の傾斜部２６ａ、２６ｂの傾斜方向は互いに逆向きとなっており、下の傾斜部２６ａの傾斜角度は下容器１の上記第一の軸受け部３を設けた側壁部２の内面の傾斜と同じ傾斜角度となっており、上の傾斜部２６ｂの傾斜確度は後述する上容器１１の第三の軸受け部１３を設けた側壁部１２の内面の傾斜と同じ傾斜角度となっている。軸受け部材２０の上半部に上端から下方に向けてＵ字状に切欠して案内溝２１が形成してあり、この案内溝２１の溝底部分に半円状をした第二の軸受け部２３を設けてある。
【００１９】
上記構成の軸受け部材２０の両側下端部に設けた軸部２２は下容器１の第一の軸受け部３を設けた側壁部２の内面部の両端部付近に突設した支柱部６の対向面の下端部に設けた縦長孔９内に上下移動自在且つ回転自在に嵌め込んであり、軸受け部材２０を起立させた状態で軸受け部材２０を下方にスライドさせる（つまり軸部２２を縦長孔９の下端部に移動させる）ことで、図４（ｂ）の実線に示すように、軸受け部材２０の下端部が支持部４を構成する下容器１の側壁部２と突起４ａとの間の隙間に嵌め込まれて軸受け部材２０の起立状態が保持されるようになっている。この起立状態において軸受け部材２０の内面部の板部２４は垂直となり、軸受け部材２０の外面部を構成する傾斜部２６ａが第一の軸受け部３を設けた側壁部２に当接している。このように第一の軸受け部３を設けた側壁部２に沿って軸受け部材２０を起立させた状態において軸受け部材２０の上半部が下容器１の上開口から上方に突出するようになっている。
【００２０】
一方、上記のように軸受け部材２０を起立させている状態で、軸受け部材２０を上方にスライドさせる（つまり軸部２２を縦長孔９の上端部に移動させる）ことで、軸受け部材２０の下端部が支持部４を構成する下容器１の側壁部２と突起４ａとの間の隙間から上方に抜けることで支持部４による起立状態の保持が解除される。したがって、この状態で軸部２２を中心に軸受け部材２０を回動させることで軸受け部材２０を図４（ｂ）の想像線に示すように下容器１内に横向きに倒すことができるようになっている。ここで、実施形態では、両側の軸受け部材２０を横向きに倒した場合、両側の軸受け部材２０の一部同士が上下方向に重複するようになっている。
【００２１】
合成樹脂製の上容器１１は平面視正方形状又は長方形状をしており、各側壁部１２がいずれも下方に行く程外側となるように傾斜していて下開口の周縁部にはフランジ部１５が設けてあり、対向する１対の側壁部１２（添付図面に示す実施形態では短辺側の側壁部１２）の下端縁部（下端縁部にはフランジ部１５を含んでいる）に半円状をした第二の軸受け部１３が形成してある。この上容器１１の底面部１８の上記第二の軸受け部１３を設けた上記１対の側壁部１２側の端部付近に該側壁部１２の辺に沿って１乃至複数の突起１４ａが下方に向けて突出してあり、該突起１４ａと上記側壁部１２の下部との間の隙間が支持部１４となっている。また、上容器１１は前述の下容器１とネスティング積みができるようになっており、このため、下方に行く程外側となるように傾斜している側壁部２の外面のフランジ部１５側には該上容器１１を上下逆にして前述の下容器１とネスティング積みする際に下段の下容器１のフランジ部５に載置される載置用突部１７が突設してある。
【００２２】
上容器１１は下容器１と同じ形状、同じ大きさのものである必要はないが、添付図面においては、上容器１１として下容器１と同じ形状、同じ大きさのものを使用してある。つまり、本実施形態では下容器１と上容器１１とを共通化してあり、上容器１１としては下容器１と同じもので軸受け部材２０を取付けていないものを上下逆にして使用するようになっている。この場合、図１乃至図８に示す下容器１の側壁部２、第一の軸受け部３、支持部４、突起４ａ、フランジ部５、支柱部６、載置用突部７、底面部８が、それぞれ上容器１１の側壁部１２、第二の軸受け部１３、支持部１４、突起１４ａ、フランジ部１５、載置用突部１７、底面部１８に一致する。また、この場合、上容器１１には下容器１の支柱部６、縦長孔９と同じ支柱部１６、縦長孔１９が設けてある。
【００２３】
上記のような構成の運搬用容器Ａの使用に当たっては、以下のようにして使用する。すなわち、下容器１内に横向きに倒して収納している軸受け部材２０を軸部２２を中心に回動して起立させると共に起立姿勢で軸受け部材２０を下方にスライドさせて軸受け部材２０の下端部を支持部４で支持すると共に軸受け部材２０の上半部を下容器１よりも上方に突出させる。このようにして軸受け部材２０の内面が垂直面となる起立姿勢を保持した状態で、ロール状物品３０の軸３１を軸受け部材２０の案内溝２１の上端開口から嵌め込み、案内溝２１で軸３１を案内しながらロール状物品３０の下半部を下容器１内において両軸受け部材２０間に位置させると共に、該軸３１の両端部の下半分の半円部を、案内溝２１の溝底部分の第二の軸受け部２３と下容器１の側壁部２の上縁部に設けた第一の軸受け部３とで支持することで、ロール状物品３０を宙吊り状態となるように軸３１の両端部がそれぞれ第一の軸受け部３と第二の軸受け部２３とで支持される。
【００２４】
このロール状物品３０の収納と軸３１の案内溝２１の上端からの挿入作業の際、本発明においては、軸受け部材２０が起立姿勢を保持された状態で下容器１に取付けてあるので、軸受け部材２０が傾いたり、ぐらついたりせず、特に、挿入時にロール状物品３０や軸３１が軸受け部材２０に当たっても、傾いたり、ぐらついたりしないので、簡単且つ確実にロール状物品３０を挿入し且つ軸３１を案内溝２１の上端から挿入して第一の軸受け部３と第二の軸受け部２３とで支持させる作業ができるものである。
【００２５】
このように下容器１内にロール状物品３０の下半部を入れると共に軸３１の両端部の下半部を第一の軸受け部３と第二の軸受け部２３とでそれぞれ支持した状態で、下方が開口した上容器１１をロール状物品３０の上半部に被せ、上容器１１の下開口のフランジ部１５を下容器１の上開口のフランジ部５に合わせる。この状態で上容器１１の対向する側壁部１２の下端部に設けた半円状の第二の軸受け部１３がそれぞれ軸３１の両端部の上半部に嵌め込まれて該軸３１の端部の上半部が第二の軸受け部１３により支持され、同時に、軸受け部材２０の上端部が側壁部１２と突起１４ａとの間の隙間により構成される支持部１４に嵌め込まれて軸受け部材２０の上端部が上容器１１に支持されると共に軸受け部材２０の上半部の外側部を構成する上の傾斜部２６ｂが上容器１１の傾斜した側壁部１２に当接する（図２（ｂ）参照）。
【００２６】
上記上容器１１をロール状物品３０の上半部に被せる作業をする際、一対の起立した軸受け部材２０の各上半部の外側面は上に行く程内側となるような上の傾斜部２６ｂとなっているので、該１対の軸受け部材２０の各上の傾斜部２６ｂをガイドとして上容器１１を被せる作業が容易に行えるものであり、上容器１１のフランジ部１５を下容器１の上開口のフランジ部５に合わせた状態で、上記のように、軸受け部材２０の上端部が支持部１４に自動的にぴったりと嵌め込まれると共に上の傾斜部２６ｂが上容器１１の傾斜した側壁部１２にぴったりと自動的に当接するので、上方から上容器１１を被せる操作を行うのみで部材相互の位置決め連結が自動的に行えるのである。
【００２７】
上記のようにして下容器１に上容器１１を被せた後に、下容器１と上容器１１とを任意のバンドやクリップ等の任意の結合手段により結合してもよい。
【００２８】
このようにして運搬用容器Ａに収納され且つ軸３１の下半部を第一の軸受け部３と第三の軸受け部２３とで支持されたロール状物品３０は運搬用容器Ａに宙吊りされて支持されるものである。このようにしてロール状物品３０を運搬用容器Ａ内に宙吊りに支持した状態で搬送したり、保管することで、ロール状物品３０を保護した状態で搬送したり、保管したりできるものである。
【００２９】
ロール状物品３０からの荷重は垂直に起立した軸受け部材２０の第三の軸受け部２３と下容器１の側壁部２の第一の軸受け部３とで支持されるのであるが、この場合、第一の軸受け部３のみでロール状物品３０の荷重を支持するものにおいては、合成樹脂製の下容器１の側壁部２は成形上の制約で傾斜しているため、荷重の支持強度という点に関しては垂直なものに比べて不利であるが、本発明においては、軸受け部材２０が上下両端部をそれぞれ支持部４、１４により垂直に起立した姿勢で保持されているので、搬送や保管時に軸受け部材２０が傾いたり、がたついたりせず、したがって、ロール状物品３０の荷重を安定して確実に支持でき、特に、垂直姿勢を保持しているので、荷重の支持に対しては最も強く支持できるものである。しかも、軸受け部材２０の外側面は下容器１の傾斜した側壁部２、上容器１１の傾斜した側壁部１２の内面にそれぞれぴったりと当接しているので、荷重を受けた場合における軸受け部材２０の外広がりを防止できてよりいっそう確実に荷重の支持ができるものである。
【００３０】
また、第二の軸受け部１３により軸３１の端部の上半部を支持しているので、軸３１は端部の全周が第一の軸受け部３、第二の軸受け部１３、第三の軸受け部２３により支持されることになって、搬送中に振動が加わっても軸３１が上下方向にがたついたりしないものである。
【００３１】
ここで、実施形態のように軸受け部材２０の内面部を平坦面とすることで、ロール状物品３０の巻きずれと端面の傷付きを防止できるものである。
【００３２】
一方、上記運搬用容器Ａが空の場合、つまり、使用しない場合は、下容器１に対して起立している軸受け部材２０を上方にスライドさせて支持部４による保持を解除した状態で軸部２２を中心に回動して軸受け部材２０を横に倒して下容器１の底面部８の上に重ね、この状態で、上容器１１を上下逆にし、図９に示すように、上容器１１と下容器１とをネスティング積みするものである。この場合、下容器１の上開口から上下逆にした状態の上容器１１の下部を嵌め込んでネスティング積みしてもよく、あるいは、上下逆にした状態の上容器１１の上開口から下容器１の下部を嵌め込んでネスティング積みしてもよい。また、複数の運搬用容器Ａを上記のようにしてネスティング積みする際に、運搬用容器Ａを構成する下容器１と上容器１１とをネスティング積みした組に、更に、別の運搬用容器Ａを構成する下容器１と上容器１１とをネスティング積みした組をネスティング積みするというように、つまり、……下容器１、上容器１１、下容器１、上容器１１……というように交互に下容器１と上容器１１とをネスティング積みしてもよい。ネスティング積みした状態では、上容器１１の載置用突部１７の下面が下段の下容器１のフランジ部５に載置され、また、下容器１の載置用突部７の下面が下段の上容器１１のフランジ部１５に載置される。
【００３３】
このようにして運搬用容器Ａを下容器１と上容器１１とに分離すると共に軸受け部材２０を下容器１内に横にして倒した常態でネスティング積みすることで非使用時における運搬用容器Ａを構成する各部材を一纏めにして嵩低くコンパクトにでき、この状態で非使用時における運搬用容器Ａの搬送や保管ができるので、運搬用容器Ａの繰り返し使用に当たって、空の状態における搬送や保管に要するスペースが狭くてよく、また、下容器１と上容器１１と軸受け部材２０とからなる運搬用容器Ａのセットがバラバラにならないようにできるものである。
【００３４】
次に、図１０乃至図１７に基いて本発明の他の実施形態につき説明する。本実施形態においては、下容器１の底面部８の下面にパレット用脚部材４０を設ける点が上記実施形態と異なるのみで、他の構成は上記実施形態と同様であるので、下容器１の底面部８の下面にパレット用脚部材４０を設け構成について説明する。
【００３５】
下容器１の底面部８の両長辺に沿ってそれぞれ複数箇所に係止孔部５０が設けてあり、下容器１の底面部８の下面にそれぞれ両長辺に沿ってフォーク差し込み部４１を有する合成樹脂製のパレット用脚部材４０を配置し、該パレット用脚部材４０の上面部に形成した係止突起５１を上記係止孔部５０に嵌め込み係止することで下容器１の底面部８の下面にパレット用脚部材４０を取付けるようになっている。ここで、上容器１１として下容器１と同一形状、同一大きさのものを使用する場合、上容器１１の底面部１８にも同様に係止孔部５０と同じ係止孔部（図示せず）が存在するが、上容器１１の係止孔部５１にはパレット用脚部材４０は取付けない。
【００３６】
このように下容器１にパレット用脚部材４０を取付けたものの場合、運搬用容器Ａを移動する際、パレット用脚部材４０のフォーク差し込み部４１にフォークリフト装置のフォークを差し込んで持ち上げて容易に移動することができる。
【００３７】
なお、前述のようにロール状物品３０を宙吊り状態に収納支持した運搬用容器Ａを複数搬送したり、保管したりする場合には、図１５に示すように、別部材のパレット６０上に複数載置するようにしてもよく、運搬用容器Ａを上下に多段に積み重ねてもよい。
【００３８】
一方、上記運搬用容器Ａが空の場合、つまり、使用しない場合は、前述の実施形態と同様に上容器１１と上下逆にした下容器１とをネスティング積みするものであるが、この場合、図１７に示すように、パレット用脚部材４０を取付けたままの状態でネスティング積みされるものである。
【図面の簡単な説明】
【００３９】
【図１】本発明の一実施形態の分解斜視図である。
【図２】（ａ）は同上の正面図であり、（ｂ）は正面断面図である。
【図３】（ａ）は同上の側面図であり、（ｂ）は側面断面図である。
【図４】同上の分解断面図である。
【図５】同上の分解断面図である。
【図６】同上の軸受け部材の上下端部をそれぞれ支持部により支持している部分を示す断面図である。
【図７】（ａ）は下容器（上容器）の平面図であり、（ｂ）は底面図である。
【図８】（ａ）は軸受け部材の正面図であり、（ｂ）は側面図である。
【図９】（ａ）は同上のネスティング積み状態を示す正面図であり、（ｂ）は断面図である。
【図１０】同上のパレット用脚部材を取付けた例の分解斜視図である。
【図１１】（ａ）は同上の正面図であり、（ｂ）は正面断面図である。
【図１２】（ａ）は同上の側面図であり、（ｂ）は側面断面図である。
【図１３】同上の分解断面図である。
【図１４】同上の分解断面図である。
【図１５】（ａ）は同上の複数の運搬用容器をパレットに載置した状態の正面図であり、（ｂ）は側面図である。
【図１６】下容器の底面図である。
【図１７】（ａ）は同上のネスティング積み状態を示す正面図であり、（ｂ）は断面図である。
【符号の説明】
【００４０】
Ａ  運搬用容器
１  下容器
２  側壁部
３  第一の軸受け部
４  支持部
９  縦長孔
１１  上容器
１２  側壁部
１３  第三の軸受け部
１４  支持部
２０  軸受け部材
２１  案内溝
２２  軸部
２３  第二の軸受け部
３０  ロール状物品
３１  軸
【図１】
2005313913.tif 000003
【図２】
2005313913.tif 000004
【図３】
2005313913.tif 000005
【図４】
2005313913.tif 000006
【図５】
2005313913.tif 000007
【図６】
2005313913.tif 000008
【図７】
2005313913.tif 000009
【図８】
2005313913.tif 000010
【図９】
2005313913.tif 000011
【図１０】
2005313913.tif 000012
【図１１】
2005313913.tif 000013
【図１２】
2005313913.tif 000014
【図１３】
2005313913.tif 000015
【図１４】
2005313913.tif 000016
【図１５】
2005313913.tif 000017
【図１６】
2005313913.tif 000018
【図１７】
2005313913.tif 000019